(57)【特許請求の範囲】
【請求項１】
利用者の操作を入力する入力部と、
利用者が選択した少なくとも２つの要素の組み合わせを含む動画を前記入力部による前記利用者の操作に基づいて作成可能な動画作成部と、
前記動画を表示する表示部と、
前記入力、作成、および表示を制御する制御部と、
を備え、
前記制御部は、前記表示部で前記動画作成部が作成した複数の動画のリストを動画作成時に選択された要素の組み合わせを含んで表示し、表示された当該複数の動画を前記利用者の操作に基づいて選択することによって複数の動画の組み合わせで当該複数の動画が時系列でつながる連続動画を作成可能に制御し、かつ、情報処理装置が所定の状態である時に、当該連続動画を当該表示部で表示可能に制御し、
前記所定の状態は、前記情報処理装置またはプログラムの起動、終了、処理中、スリープ、および利用者設定時刻のうち少なくとも１つの状態である、
情報処理装置。
【請求項２】
請求項１記載の情報処理装置において、
前記制御部は、前記表示部で前記複数の動画のリストを表示する連続動画作成画面において、前記利用者の操作に基づいて前記動画毎に当該動画を表示可能に制御する、情報処理装置。
【請求項３】
請求項１または２記載の情報処理装置において、
前記利用者の操作に基づいて、前記動画を表示する対象とする前記所定の状態を設定可能である、情報処理装置。
【請求項４】
請求項１〜３のいずれか一項に記載の情報処理装置において、
前記制御部は、初期設定では、前記情報処理装置が前記所定の状態である時に、所定の表示を前記表示部で表示可能に制御し、
前記所定の表示は、初期設定では、所定の場面情報を含む組み合わせによる動画であり、
前記制御部は、前記利用者の操作に基づいて、前記所定の状態である時に表示する前記所定の表示を前記連続動画に変更可能に制御する、情報処理装置。
【請求項５】
請求項１〜４のいずれか一項に記載の情報処理装置において、
前記制御部は、前記表示部に前記動画の作成に係る要素選択手順を含むグラフィカル・ユーザ・インタフェースを表示し、前記利用者の操作に基づいて選択された要素を組み合わせることで、前記複数の動画のそれぞれを作成可能に制御する、情報処理装置。
【請求項６】
請求項１〜５のいずれか一項に記載の情報処理装置において、
前記動画を記憶する記憶部を備え、
前記制御部は、前記利用者の操作に基づいて前記動画作成部で作成された動画を前記記憶部に記憶可能に制御し、前記記憶部に記憶されている動画から前記利用者が選択した動画を前記所定の状態である時に前記表示部で表示可能に制御する、情報処理装置。
【請求項７】
請求項１〜６のいずれか一項に記載の情報処理装置において、
前記要素として、少なくとも場面情報と当該場面情報に登場するキャラクターを設定可能である、情報処理装置。
【請求項８】
請求項７記載の情報処理装置において、
前記場面情報での前記キャラクターの動きも設定可能である、情報処理装置。
【請求項９】
請求項７記載の情報処理装置において、
前記場面情報に登場する演出要素を設定可能であって、
前記制御部は、前記場面情報に前記キャラクターおよび前記演出要素が設定された動画を表示する際には、前記演出要素の画像と前記演出要素に応じた前記キャラクターの画像とを含む演出画像を表示可能に制御する、情報処理装置。
【請求項１０】
請求項１〜９のいずれか一項に記載の情報処理装置において、
前記制御部は、前記動画を表示する際に、前記動画を構成する要素の組み合わせが全組み合わせのうちの特定の組み合わせである場合には、前記特定の組み合わせに応じた特別演出画像を表示可能に制御する、情報処理装置。
【請求項１１】
情報処理装置に処理を実行させるプログラムであって、
前記情報処理装置は、
利用者の操作を入力する入力部と、
利用者が選択した少なくとも２つの要素の組み合わせを含む動画を前記入力部による前記利用者の操作に基づいて作成可能な動画作成部と、
前記動画を表示する表示部と、
前記入力、作成、および表示を制御する制御部と、
を備え、
前記制御部は、前記表示部で前記動画作成部が作成した複数の動画のリストを動画作成時に選択された要素の組み合わせを含んで表示し、表示された当該複数の動画を前記利用者の操作に基づいて選択することによって複数の動画の組み合わせで当該複数の動画が時系列でつながる連続動画を作成可能に制御し、かつ、前記情報処理装置が所定の状態である時に、当該連続動画を当該表示部で表示可能に制御し、
前記所定の状態は、前記情報処理装置またはプログラムの起動、終了、処理中、スリープのうち少なくとも１つの状態である、
プログラム。
【発明の詳細な説明】
【技術分野】
【０００１】
本発明は、子供向けの情報処理装置の技術に関する。
【背景技術】
【０００２】
子供向けの情報処理装置または玩具として、大人向けのＰＣ（パーソナルコンピュータ）等の情報処理装置を模した装置や玩具が挙げられる。利用者である子供は、このような装置を操作して楽しみながら学習等を行う。これにより、大人向けのＰＣ等の装置の利用へステップアップすることを促進することができる。このような子供向けの情報処理装置に備えるアプリケーションプログラム等による機能の例としては、英語やプログラミング等の学習、動画作成等が挙げられる。
【０００３】
子供向けの情報処理装置における動画作成に係る先行技術例としては、特開２００８−１７７９９６号公報（特許文献１）が挙げられる。特許文献１には、カメラ内蔵型デジタル玩具として、撮像した画像に対するエフェクトの付加を簡単に行う旨が記載されている。
【先行技術文献】
【特許文献】
【０００４】
【特許文献１】特開２００８−１７７９９６号公報
【発明の概要】
【発明が解決しようとする課題】
【０００５】
特許文献１では、ユーザがテンプレートを選択して撮像した動画にエフェクトを自動的に付加することでビデオクリップといったエフェクト付きの動画を作成し編集できる旨が開示されている。特許文献１のような先行技術例では、比較的年齢層が低い利用者を対象としており、その利用者が動画を作成・編集できることについては記載されている。しかしながら、子供が動画を作成・編集する際に、より楽しく容易に作成・編集できることや、子供の意欲等を高めることについては、工夫の余地がある。
【０００６】
本発明の目的は、子供向けの情報処理装置の技術に関して、子供による動画作成に係る興趣性等を高めることができる技術を提供することである。
【課題を解決するための手段】
【０００７】
本発明のうち代表的な実施の形態は以下に示す構成を有する。実施の形態の情報処理装置は、利用者の操作を入力する入力部と、要素として場面情報を含む組み合わせによる動画を前記入力部による前記利用者の操作に基づいて作成可能な動画作成部と、前記動画を表示する表示部と、前記入力、作成、および表示を制御する制御部と、を備え、前記制御部は、情報処理装置が所定の状態である時に、前記動画として前記動画作成部で作成された第１の動画を前記表示部で表示可能に制御し、前記所定の状態は、前記情報処理装置またはプログラムの起動、終了、処理中、スリープ、および利用者設定時刻のうち少なくとも１つの状態である。また、実施の形態の情報処理装置は、利用者の操作を入力する入力部と、利用者が選択した少なくとも２つの要素の組み合わせを含む動画を前記入力部による前記利用者の操作に基づいて作成可能な動画作成部と、前記動画を表示する表示部と、前記入力、作成、および表示を制御する制御部と、を備え、前記制御部は、前記表示部で前記動画作成部が作成した複数の動画のリストを動画作成時に選択された要素の組み合わせを含んで表示し、表示された当該複数の動画を前記利用者の操作に基づいて選択することによって複数の動画の組み合わせで当該複数の動画が時系列でつながる連続動画を作成可能に制御し、かつ、情報処理装置が所定の状態である時に、当該連続動画を当該表示部で表示可能に制御し、前記所定の状態は、前記情報処理装置またはプログラムの起動、終了、処理中、スリープ、および利用者設定時刻のうち少なくとも１つの状態である。
【発明の効果】
【０００８】
本発明のうち代表的な実施の形態によれば、子供向けの情報処理装置の技術に関して、子供による動画作成に係る興趣性等を高めることができる。
【図面の簡単な説明】
【０００９】
【図１】本発明の実施の形態１の情報処理装置の外観の構成概要を示す。
【図２】実施の形態１の情報処理装置の機能ブロック構成を示す。
【図３】実施の形態１の情報処理装置の主な処理のフローを示す。
【図４】実施の形態１で、標準画面等を示す。
【図５】実施の形態１で、場面選択画面および第１キャラクター選択画面を示す。
【図６】実施の形態１で、第２キャラクター選択画面および動き選択画面を示す。
【図７】実施の形態１で、演出要素選択画面を示す。
【図８】実施の形態１で、場面の構成例を示す。
【図９】実施の形態１で、連続場面動画の構成例を示す。
【図１０】実施の形態１で、場面動画の表示例のその１を示す。
【図１１】実施の形態１で、場面動画の表示例のその２を示す。
【図１２】実施の形態１で、動画作成のメニュー画面の第１例を示す。
【図１３】実施の形態１で、動画作成のメニュー画面の第２例を示す。
【図１４】実施の形態１で、特別演出画像の表示例を示す。
【図１５】実施の形態１で、チュートリアルの表示例を示す。
【図１６】実施の形態１で、動画ベース編集形式の表示例を示す。
【発明を実施するための形態】
【００１０】
以下、図面を参照しながら本発明の実施の形態を詳細に説明する。図面において、同一部には原則として同一符号を付し、繰り返しの説明を省略する。図面において、各構成要素の表現は、発明の理解を容易にするために、実際の位置、大きさ、形状、および範囲等を表していない場合があり、本発明は、図面に開示された位置、大きさ、形状、および範囲等には限定されない。また、説明上、各種のデータや情報を、例えばテーブル等の表現で説明する場合があるが、このような構造や形式には限定されない。また、各種の要素について識別するためのデータや情報を、識別情報、識別子、ＩＤ、名、番号等の表現で説明する場合があるが、これらの表現は互いに置換可能である。
【００１１】
説明上、プログラムによる処理について説明する場合に、プログラムや機能や処理部等を主体として説明する場合があるが、それらについてのハードウェアとしての主体は、プロセッサ、あるいはそのプロセッサ等で構成されるコントローラ、装置、計算機、システム等である。計算機は、プロセッサによって、適宜にメモリ等の資源を用いながら、メモリ上に読み出されたプログラムに従った処理を実行する。これにより、所定の機能や処理部等が実現される。プロセッサは、例えばＣＰＵ等の半導体デバイス等で構成される。プロセッサは、所定の演算が可能な装置や回路で構成される。処理は、ソフトウェアプログラム処理に限らず、専用回路でも実装可能である。専用回路は、ＦＰＧＡ、ＡＳＩＣ等が適用可能である。プログラムは、対象計算機に予めデータとしてインストールされていてもよいし、プログラムソースから対象計算機にデータとして配布されてインストールされてもよい。プログラムソースは、通信網上のプログラム配布サーバでもよいし、非一過性のコンピュータ読み取り可能な記憶媒体でもよい。プログラムは、複数のプログラムモジュールから構成されてもよい。
【００１２】
＜実施の形態１＞
図１〜図１６を用いて、本発明の実施の形態１の情報処理装置等について説明する。実施の形態１のプログラムは、実施の形態１の情報処理装置に処理を実行させるコンピュータプログラムであり、言い換えると、実施の形態１の情報処理装置の各処理部を実現するプログラムである。実施の形態１の情報処理装置は、子供向けのＰＣ玩具であり、プログラム処理に基づいて実現される動画作成機能を備える。
【００１３】
図１等に示す実施の形態１の情報処理装置１は、子供である利用者が、フィクション上の場面やキャラクターを含む要素の組み合わせによる動画を楽しく容易に作成できる仕組みを有する。そして、情報処理装置１は、利用者が作成した動画（説明上、第１の動画と記載する場合がある）を、情報処理装置１が所定の状態である時に表示するように制御する。所定の状態は、情報処理装置１または当該装置で稼働するプログラムの起動時（起動直後を含む）、終了時（終了直前を含む）、処理中（ローディング中等を含む）、スリープ（省電力モード等を含む）、および利用者設定時刻（例えばアラーム機能等で設定した時刻を含む）のうち少なくとも１つの状態である。
【００１４】
また、実施の形態１の情報処理装置１は、利用者が作成・選択した第１の動画を所定の状態の時に表示する機能についてのユーザ設定も可能である。すなわち、利用者は、画面での操作に基づいて、選択した第１の動画を表示対象とする所定の状態を選択して設定することもできる。例えば、利用者は、第１の動画を、情報処理装置１の起動時にオープニング動画として再生させることができる。
【００１５】
また、実施の形態１の情報処理装置１は、初期設定（例えば工場出荷時）では、予め事業者が規定した所定の表示が設定されている。実施の形態１の情報処理装置１は、初期設定では、予め事業者が規定した所定の状態の時に、例えば情報処理装置１の起動時に、その所定の表示を再生するように設定されている。所定の表示は、例えば、所定の動画によるオープニング動画である。所定の動画は、フィクション上の所定の場面情報や所定のキャラクターを含む固定内容の動画である。所定の表示は、フィクションの動画に限らず、所定の情報（例えば商品名等）の画像等としてもよい。そして、実施の形態１の情報処理装置１は、利用者による設定で、所定の状態の時に表示する所定の表示を第１の動画に差し替える変更が可能である。
【００１６】
実施の形態１の情報処理装置１は、表示画面での要素選択手順を含むグラフィカル・ユーザ・インタフェース（ＧＵＩ）を提供し、これに従って利用者が第１の動画を楽しく容易に作成できる。また、実施の形態１の情報処理装置１は、利用者が第１の動画を作成する際に、ＧＵＩとして、所定の表示の構成をベースとして要素を変更する等して編集する形式での第１の動画の作成も可能とする。
【００１７】
［情報処理装置（１）］
図１は、実施の形態１の情報処理装置１の外観の概要構成を示す。実施の形態１の情報処理装置１は、本体１Ａと、マウス１Ｂとを備える。入力機器であるマウス１Ｂは、無線または有線の通信で本体１Ａと接続されている。本体１Ａは、ノートＰＣのように折り畳みが可能な機構を有し、水平面側の本体部１Ａ１と、それに接続された他方の本体部１Ａ２とを有する。水平面側の本体部１Ａ１には、入力機器であるキーボード１Ｃが配置されている。他方の本体部１Ａ２には、一部に表示画面１Ｄが配置されている。表示画面１Ｄの周囲には、所定のフィクション上のキャラクター等の画像が印刷やシール等で形成されていてもよい。子供である利用者は、情報処理装置１を操作して利用する。実施の形態１では、情報処理装置１の外観は、大人向けのノートＰＣを模した外観であるが、これに限定されず、他の種類の装置、例えばデスクトップＰＣやタブレットＰＣ等を模した外観としてもよい。情報処理装置１は、子供向けの玩具なので、大人向けのＰＣのような高度な機能や資源の具備は不要である。
【００１８】
情報処理装置１は、予め、工場出荷時等の初期設定時においては、実施の形態１のプログラムを含む所定のプログラムおよび関連するコンテンツ等のデータがインストールされている。なお、情報処理装置１は、初期設定のデータに対し、後に追加でプログラムやコンテンツ等のデータがインストールされてもよい。情報処理装置１へのデータの入出力は、外部装置との通信を利用してもよいし、特にメモリカード等の記憶媒体を利用してもよい。
【００１９】
コンテンツとは、テキスト、画像、音声、ゲーム等を含む総称である。画像は、静止画や動画を含む。動画とは、アニメーションやエフェクトを含む。エフェクトは、演出のための特殊効果等であり、画像加工や画面加工を含む。
【００２０】
情報処理装置１は、外部装置との通信機能については必須ではないので通信インタフェース装置等を備えなくてもよいが、外部装置との通信機能を持たせる場合には通信インタフェース装置等を備える。なお、子供の親等が情報処理装置１を操作して機能の設定等を行うこともできる。
【００２１】
実施の形態１の情報処理装置１には、外部装置が接続されてもよい。外部装置の例としては、通信網上の事業者のサーバ、利用者の携帯端末装置や宅内機器等が挙げられる。例えば、サーバ等から実施の形態１の情報処理装置１へアプリケーションプログラムやコンテンツデータが配信されてもよい。実施の形態１の情報処理装置１からサーバ等へデータが転送され保存されてもよい。
【００２２】
［情報処理装置（２）］
図２は、実施の形態１の情報処理装置１における計算機としての機能ブロック構成例を示す。情報処理装置１は、プロセッサ１０１、メモリ１０２、表示装置１０３、マウス１Ｂ、キーボード１Ｃ、スピーカ１０５、インタフェース装置１０７、およびバッテリ１０６等を備え、それらはバスや入出力インタフェース等を介して相互に接続されている。
【００２３】
プロセッサ１０１は、ＣＰＵ、ＲＯＭ、ＲＡＭ等で構成され、情報処理装置１の全体および各部を制御するコントローラを構成する。プロセッサ１０１は、実施の形態１のプログラムに基づいた処理によって、各処理部を実現する。情報処理装置１は、この処理部として、制御部１１、動画作成部１２、記憶部１３、表示部１４、および入力部１５を有する。
【００２４】
メモリ１０２は、不揮発性記憶装置等で構成され、プロセッサ１０１等が扱う各種のデータや情報が記憶される。メモリ１０２には、例えば、制御プログラム５１、設定情報５２、動画データ５３、コンテンツデータ５４等が記憶される。制御プログラム５１は、実施の形態１のプログラムや、各種のアプリケーションプログラムに相当する。設定情報５２は、制御プログラム５１による設定情報であり、ユーザ設定情報を含む。動画データ５３は、実施の形態１のプログラムによる動画作成機能によって作成および保存される各動画のデータを含む。コンテンツデータ５４は、動画作成機能で使用される各種のコンテンツのデータを含む。このコンテンツは、動画を構成する要素となる画像等の素材のデータを含む。
【００２５】
表示装置１０３は、表示駆動回路や図１の表示画面１Ｄを有する。実施の形態１では、表示装置１０３は、液晶表示装置である。変形例では、表示装置１０３は、タッチパネルとしてもよい。マウス１Ｂは、位置やボタン押下等の入力操作を受け付けて、対応する入力情報を生成する。キーボード１Ｃは、各種のキーの入力操作を受け付けて、対応する入力情報を生成する。スピーカ１０５は、音声出力装置である。バッテリ１０６は、各部に電力を供給する。その他、情報処理装置１には、メモリカード等の記憶媒体を装着できるインタフェース装置１０７、マイクや他のセンサ等を備えてもよい。
【００２６】
［動画作成機能］
情報処理装置１の動画作成機能は、言い換えると、動画プログラミング学習機能であり、プログラミングの考え方に基づいて動画の作り方を楽しく学ぶことができる機能である。図２の制御部１１は、動画作成機能を制御する部分であり、動画作成部１２等の各部を制御する。入力部１５は、マウス１Ｂ等を用いて利用者による操作を入力する部分である。動画作成部１２は、要素として場面情報を含む組み合わせによる動画を利用者の操作に基づいて作成可能な部分である。動画作成部１２は、場面やキャラクター等の素材のデータを用いてその動画を作成する。表示部１４は、表示装置１０３の表示画面１Ｄに動画やＧＵＩ等を表示する部分である。記憶部１３は、メモリ１０２等に動画や情報を記憶（言い換えると保存）する部分である。制御部１１は、情報処理装置１が所定の状態である時に、所定の表示、または動画作成部１２で作成された第１の動画を表示部１４で表示するように制御する。制御部１１は、利用者の操作に基づいて動画作成部１２で作成された動画を記憶部１３に記憶するように制御する。制御部１１は、記憶部１３に記憶されている動画から利用者が選択した動画を所定の状態である時に表示部１４で表示するように制御する。
【００２７】
［処理フロー］
図３は、情報処理装置１による動画作成機能に係わる主な処理のフローを示し、ステップＳ０〜Ｓ１３を有する。ステップＳ０で、情報処理装置１は、例えば利用者による電源ボタンの押下に応じて起動される。情報処理装置１は、起動直後、自動的に、規定されたオープニング動画を所定の表示として再生する。オープニング動画の終了部分が表示された後の状態で、例えば利用者がクリック等の操作を行うと、情報処理装置１は、標準画面を表示する（後述の図４）。標準画面では、情報処理装置１の各種の機能のメニュー等が表示される。利用者は、標準画面のメニューから動画作成機能（「どうがプログラミング」）を選択操作する。情報処理装置１は、その操作に応じて、対応するプログラムを実行して、動画作成機能（対応するアプリケーション）が起動された状態とする。
【００２８】
ステップＳ１で、情報処理装置１は、表示画面１Ｄに、動画作成機能のメニュー等を表示する。この画面では、利用者が既に作成し保存済みの動画がある場合には一覧として表示される（例えば後述の図１２）。利用可能なコマンドはボタンやアイコン等で表示される。利用者は、新たに場面動画を作成したい場合、例えば図示しない動画作成ボタンを押す（Ｓ１−Ｙ）。後述の連続場面動画を作成する場合にはステップＳ９へ進む。
【００２９】
情報処理装置１は、場面動画の作成の際、表示画面１Ｄに、要素選択手順毎のＧＵＩを順に表示する。まず、ステップＳ２で、情報処理装置１は、場面選択画面を表示する（図５の（Ａ））。この場面選択画面では、場面の選択を促すように、「どこで？」といった文字画像が表示され、利用者は、候補から所望の場面を選択する。利用者は、画面の下部にリストとして表示される複数の場面候補から、所望の場面を選択する。
【００３０】
次に、ステップＳ３で、第１キャラクター選択画面が表示される（図５の（Ｂ））。第１キャラクター選択画面では、場面に登場させる第１キャラクターの選択を促すように、「だれが？」といった文字画像等が表示される。また、中央の枠の左側には、選択済みの要素（「どこで？」の場面）の情報も表示される。利用者は、同様に、画面の下部にリストとして表示される候補から第１キャラクターを選択する。
【００３１】
次に、ステップＳ４で、第２キャラクター選択画面が表示される。第２キャラクター選択画面では、場面に第１キャラクターとともに登場させる第２キャラクターの選択を促すように、「だれと？」といった文字画像等が表示される。利用者は、同様に、画面の下部のリストとして表示される候補から第２キャラクターを選択する。
【００３２】
次に、ステップＳ５で、動き選択画面が表示される（図６の（Ｂ））。動き選択画面では、場面に登場させるキャラクター（上記選択された第１キャラクターおよび第２キャラクター）の動き（言い換えると行動、動作）の選択を促すように、「どうした？」といった文字画像等が表示される。利用者は、同様に、画面の下部に表示されるリストとして表示される候補から動きを選択する。選択される動きは、第１キャラクターおよび第２キャラクター両方に係る動きであってもよいし、第１キャラクターおよび第２キャラクターの何れか一方に係る動きであってもよいが、両方に係る動きであることでより興趣性の高い動画を作成することが可能である。
【００３３】
次に、ステップＳ６で、「おまけ」（演出要素）の選択画面が表示される（図７）。「おまけ」（演出要素）の選択画面では、場面に登場させる「おまけ」演出要素の選択を促すように、「おまけ」といった文字画像等が表示される。利用者は、同様に、画面の下部に表示されるリストとして表示される候補から「おまけ」演出要素を選択する。ここでの「おまけ」演出要素は、フィクション上で登場するアイテム（道具や武器等）や生物や食べ物等の所定の物体を意味しており、場面動画を構成する要素の１つとしての演出要素であり、場面動画の最後の部分において、おまけ、スパイスとしての演出を表現するための要素である。ステップＳ６の演出要素までが選択されると、１つの場面動画を構成する要素の組み合わせが一通り選択されたので、場面動画の内容が決まったこととなる。
【００３４】
ステップＳ７で、利用者は、上記選択によって作成された場面動画を表示して確認することができる。利用者は、画面での所定の操作、例えば図７の表示確認ボタン（三角の「みる」ボタン）を押す。情報処理装置１は、その操作に応じて場面動画を表示する。利用者は、その場面動画を見て内容を確認する。利用者は、その場面動画が気に入った場合には、画面での所定の操作、例えば保存ボタン（図１１の「ほぞんする」ボタン）を押すことで、その場面動画を保存することができる。記憶部１３は、その場面動画のデータを管理用情報とともに保存する。利用者は、その場面動画が気に入らない場合には、保存せずに削除することもできる（「ほぞんしない」ボタン）。
【００３５】
また、ステップＳ８で、利用者は、上記作成や保存した場面動画や、リストから選択した所望の場面動画（第１の動画）を、画面での所定の操作、例えば図１２での「オープニングにする」ボタンを押すことで、所定の状態時に表示する動画であるオープニング動画として設定することができる。制御部１１は、その第１の動画をオープニング動画に設定する。この設定がされた状態では、情報処理装置１は、所定の状態時、例えば起動時に、その設定されている第１の動画をオープニング動画として表示する。所定の状態が例えば情報処理装置１の電源オフ等による終了である場合、所定の表示は、オープニング動画ではなく、エンディング動画となる。また、事業者は、所定の状態に応じて異なる内容を持つ所定の表示（例えばオープニング動画とエンディング動画）を提供してもよい。
【００３６】
また、利用者は、画面での所定の操作、例えば表示確認ボタンの押下に応じて、オープニング動画の表示確認も可能である。情報処理装置１は、この操作に応じて、起動時ではなくても、設定されているオープニング動画（所定の表示または第１の動画）を表示し、表示後に元の画面状態に戻る。
【００３７】
ステップＳ９で、情報処理装置１は、動画作成機能のメニュー画面に戻る。利用者は、上記のような場面動画の作成・保存を、同様に複数回行うことができ、複数の場面動画を作成・保存することができる。メニュー画面のリストには、保存されている複数の場面動画の情報が表示される（図１２）。ステップＳ１０で、利用者は、メニュー画面で、連続場面動画の作成を選択し指示することができる。利用者は、連続場面動画を作成する場合、画面（図１２）で、場面動画のリストから、所望の複数の場面動画を選択し、連続場面動画を作成することができる。
【００３８】
ステップＳ１１で、利用者は、上記で作成した連続場面動画を表示確認することができる。利用者は、画面での所定の操作、例えば表示確認ボタン（図１２の「ぜんぶみる」ボタン）を押す。情報処理装置１は、連続場面動画を表示し、表示後に元の画面状態に戻る。利用者は、その連続場面動画を見て内容を確認する。利用者は、その連続場面動画が気に入った場合には、画面での所定の操作、例えば保存ボタン（図１２の「ほぞんする」ボタン）を押すことで、その連続場面動画を保存することができる。記憶部１３は、その連続場面動画のデータを管理用情報とともに保存する。利用者は、その連続場面動画が気に入らない場合には、保存せずに削除することもできる（「ほぞんしない」ボタン）。
【００３９】
また、ステップＳ１２で、利用者は、上記作成や保存した連続場面動画や、リストから選択した所望の連続場面動画を、メニュー画面での所定の操作、例えば図１２の「オープニングにする」ボタンを押すことで、オープニング動画として設定することができる。制御部１１は、その連続場面動画をオープニング動画に設定する。この設定がされた状態では、情報処理装置１の所定の状態、例えば起動時に、その設定されている連続場面動画がオープニング動画として表示される。
【００４０】
ステップＳ１３で、情報処理装置１は、利用者によるメニュー画面での所定の操作、例えば戻るボタンの押下に応じて、動画作成機能による処理を終了し、標準画面に戻る。
【００４１】
［標準画面］
図４の（Ａ）は、情報処理装置１の起動時の所定の表示として、所定の動画によるオープニング動画の終了時の画面例を示す。この画面の画像では、フィクション名や情報処理装置１の商品名、ロゴ、キャラクター等が表示される。（Ａ）の画面から利用者によるクリック等の操作に応じて（Ｂ）の標準画面に遷移する。
【００４２】
図４の（Ｂ）の標準画面では、利用者が利用可能である機能のメニュー等が表示される。本例では、各機能として、「どうがプログラミング」、「えいご」、「さんすう」等がある。「どうがプログラミング」ボタンは、動画作成機能の項目に対応する。利用者は、カーソル等を操作して、利用する機能を選択する。
【００４３】
［場面選択画面］
図５の（Ａ）は、場面動画の作成時における要素選択手順のうちの１つとして場面選択画面の例を示す。例えば、画面の下部のリストにおいて、複数の場面候補がカードのような態様で横に並んで表示され、それらは所定の操作に応じて巡回的に表示される。また、画面内には、操作のためのカーソル（矢印画像で示す）も表示される。利用者は、マウス１Ｂ等の操作によってカーソルを動かして、所望の場面のカードを選択し、スライドさせて、中央の枠の中に運んで入れる。これにより、その場面が選択された状態となる。なお、このような操作に限らず、変形例では、所望のカードを押下する操作のみで、そのカードが選択状態となるようにしてもよい。また、場面選択画面の背景または一部領域には、選択された場面の画像を表示してもよい。画面内の「つぎへ」ボタンや、「まえへ」ボタンが操作されることで、要素の選択画面間を遷移できる。利用者は、前の要素の選択画面に戻って要素の選択をやり直すことも容易にできる。場面の例は、家の前、家の中、街中、公園、海、山、空、宇宙等、各種が挙げられる。フィクション上の場面であるため、過去や未来等、特殊な場面も可能である。
【００４４】
［第１キャラクター選択画面］
図５の（Ｂ）は、要素選択手順のうちの１つとして、第１キャラクター選択画面の例を示す。画面の下部のリストにおいて、複数の第１キャラクター候補がカードのような態様で横に並んで表示される。実施の形態１では、キャラクターのみならず、その場面でのそのキャラクターのポーズも一緒に選択できる形式である。キャラクターのカードでは、「キャラＡ１」等の識別情報として、キャラクターの名前が表示される。また、キャラクターのカードでは、そのキャラクターのポーズが絵で表現されている。キャラクターのカードでは、名前とともにポーズ名等の情報が表示されてもよい。例えば「キャラＡ１」は、キャラクターＡでの第１ポーズを表す。
【００４５】
［第２キャラクター選択画面］
図６の（Ａ）は、要素選択手順のうちの１つとして、第２キャラクター選択画面の例を示す。画面の下部のリストにおいて、複数の第２キャラクター候補がカードのような態様で横に並んで表示される。第２キャラクターも第１キャラクターと同様にポーズとともに選択できる。実施の形態１では、第２キャラクターは「なし」にも設定できる。これは、例えば、画面内の「なし」ボタンの押下としてもよいし、「なし」カードの選択操作としてもよい。変形例では、３人以上のキャラクターを同様に選択可能としてもよい。
【００４６】
［動き選択画面］
図６の（Ｂ）は、要素選択手順のうちの１つとして、動き選択画面の例を示す。画面の下部のリストにおいて、複数の動き候補がカードのような態様で横に並んで表示される。実施の形態１では、場面でのキャラクターの動きは、予め複数の種類の動きとして決められ用意されている。この動きは、表示画面１Ｄの領域全体を場面の画像として、その中でのキャラクター画像の動きを規定するものである。動きカードでは、キャラクターの大まかな動きが矢印で表されている。例えば「動き１」は、向かい合う２つの矢印によって、二人が近付くような動きを表している。「動き１」等の識別情報の表示は、実際には、例えば行動や動作を表す名称としてもよい。行動や動作を表す名称は、例えば「こんにちは」「おいかけっこ」「ジャンプ」等である。また、動きカードでは、矢印に限らず、キャラクターの絵やアニメーション等で動きが表現されてもよい。
【００４７】
これに限らず、動きの定義は各種が可能である。動きは、キャラクター画像領域内でのアニメーション等としてもよい。例えば、行動が「あいさつ」である場合に、場面内でのキャラクターの位置を固定として、その位置のキャラクター画像領域内でキャラクターが手を動かす等のアニメーションとしてもよい。また、実施の形態１では、動き選択画面で第１キャラクターと第２キャラクターとの二人の動きをセットとして選択する形式であるが、これに限らずに、それぞれのキャラクターの動きを選択する形式等も可能である。
【００４８】
［おまけ（演出要素）選択画面］
図７は、要素選択手順のうちの１つとして、おまけ（演出要素）選択画面の例を示す。画面の下部のリストにおいて、複数の演出要素候補がカードのような態様で横に並んで表示される。本例では、演出要素のカードは、フィクション上で登場するハンマーやそらとぶはね等のアイテム、犬や猫等の生物、おにぎり等の食べ物、等がある。
【００４９】
［動画の構成例］
図８は、動画の構成例を示す。動画の構成は、予め台本のような動画構成情報において設定されていてもよい。台本において動画を構成するための複数の場面やタイムスケジュール等が設定されていてもよい。図８では、縦方向を時系列として、動画を構成する複数の部分（いわゆるカット等に相当する）のつながりを示す。各部分には、場面（シーン）等による画像が割り当てられている。
【００５０】
図８の（Ａ）は、所定の表示としてオープニング動画の構成例を示す。この所定の表示は、場面情報としては主となる１つの場面で構成される。図８の（Ｂ）は、利用者が作成する第１の動画として場面動画の構成例を示す。この場面動画は、場面情報としては主となる１つの場面で構成される。なお、ここでいう場面とは、固定内容である開始画像内の場面や終了画像内の場面等を除くものを指す。
【００５１】
図８の（Ａ）の例では、所定の表示は、大別して第１の部分から第４の部分までの４個の部分で構成されている。初期設定での所定の表示は、予め事業者が規定した内容を持つ。第１の部分は、開始画像であり、第４の部分は、終了画像である。第２の部分および第３の部分は、第１の部分と第４の部分との間に設定可能な画像であって、第２の部分は、所定の１つの場面での場面画像であってもよく、第３の部分は、第２の部分に連続して、その場面で登場する演出要素に応じた演出画像であってもよい。場面画像では、所定の場面で所定のキャラクターが所定の動きをし、所定の演出要素（フィクション上のアイテム等）が登場する。演出画像は、所定のキャラクターおよび所定の演出要素に応じた内容の画像である。なお、説明上、場面画像と演出画像とを分けて示しているが、それらを一体の場面画像として捉えてもよい。所定の表示のうち、開始画像および終了画像の部分は、固定的な内容として設定されており、利用者による変更ができない固定部分とされている。第２の部分の場面画像および第３の部分の演出画像は、利用者による変更ができる可変部分とされている。すなわち、その可変部分では、利用者が候補から選択した要素（場面、キャラクター、動き、および演出要素等）の組み合わせによる利用者が作成・編集した画像を割り当てることが可能となっている。台本において、各部分は、予め所定の時間長さが設定されている。また、所定の表示には、開始から終了までの時間で、所定の音楽（ＢＧＭ）の再生を伴うように設定されている。本実施の形態１では、第２の部分および第３の部分は、場面画像および演出画像として記載しているが、このような画像形態に限られず、任意の画像とすることが可能である。また、所定の表示としては、第１の部分、第２の部分、第３の部分、および第４の部分を全て含む必要はなく、それらから少なくとも何れか１つを含む表示でもよい。ただし、所定の表示に第１の部分および第４の部分のような固定部分を含むように設定しておくことで所定の表示が第１の動画となった場合にも利用者への案内が必要な情報は提示可能であるので好ましい。
【００５２】
情報処理装置１の起動直後、自動的に、所定の表示として例えば所定の動画が表示される。所定の動画の表示時には、上記のような構成に従って、各部分の画像間で自動的に表示が遷移する。開始画像や終了画像の部分では、フィクション名や情報処理装置１の商品名等が表示されてもよい。終了画像の部分は、情報処理装置１の起動直後の標準画面につながる。例えばクリック等の操作に応じて、その標準画面に遷移する。もしくは、この終了画像の部分自体に、情報処理装置１の起動直後の標準画面を持ってきてもよい。また、動画中の固定内容部分は、開始画像や終了画像に限らず、途中の一部の画像としてもよい。
【００５３】
図８の（Ｂ）の例では、第１の動画は、所定の表示と同様に、主に１つの場面から構成されている。第１の部分の開始画像および第４の部分の終了画像は、所定の表示のそれらと同じ固定内容である。利用者は、第２の部分および第３の部分における場面、キャラクター、動き、および演出要素等の要素の組み合わせを選択して場面画像および演出画像を作成する。また、その作成の際、元の所定の表示をベースとするＧＵＩに従って要素を変更することで作成することも可能である。これにより、利用者は、元の所定の表示である所定の動画をベースとして自分の動画を容易に作成でき、また、１つ以上の場面等の要素を用いた組み合わせに応じて、元の所定の動画よりも複雑な内容を持つ動画や時間が長い動画も作成可能である。
【００５４】
なお、変形例として、動画中の各部分の時間長さを利用者が選択して設定できるようにしてもよいし、場面毎の画像の表示の繰り返し回数を設定できるようにしてもよい。動画に割り当てるＢＧＭを利用者が設定できるようにしてもよい。
【００５５】
［連続場面動画の構成例］
図９は、図８に比べてより複雑な内容を持つ第１の動画および所定の表示の例として、連続場面動画の構成例を示す。（Ａ）は、複数の場面情報を持つ所定の表示の例であり、（Ｂ）は、複数の場面情報を持つ第１の動画の例である。利用者は例えば（Ａ）の所定の表示所定の動画をベースとして要素を変更することで（Ｂ）のような第１の動画を作成することも可能である。
【００５６】
（Ａ）の所定の表示は、第１の部分の開始画像から第８の部分の終了画像までを有し、開始画像および終了画像の部分は図８のものと同じである。第２の部分は第１場面画像、第３の部分は第１演出画像である。第４の部分は第２場面画像、第５の部分は第２演出画像である。第６の部分は第３場面画像、第７の部分は第３演出画像である。第２の部分から第７の部分までが可変内容とされている。
【００５７】
（Ｂ）の第１の動画は、同様に、第１の部分の開始画像から第８の部分の終了画像までを有し、開始画像および終了画像の部分は所定の表示のものと同じである。第１の動画で、第２の部分から第７の部分までは、利用者が要素を選択・変更して作成した内容の画像である。利用者は、図８のような場面動画を複数組み合わせて図９のような連続場面動画を作成することもできるし、所定の表示である所定の動画をベースに要素を変更することで図９のような連続場面動画を作成することもできる。
【００５８】
図８、９では、所定の表示と第１の動画を構成する可変内容の部分の数が対応するようなかたちで記載しているが、第１の動画を構成する可変内容の部分の数を所定の表示を構成する可変内容の部分の数と対応させる必要はなく、第１の動画を構成する可変内容の部分の数は利用者が第１の動画を作成する際に適宜設定することができる。
【００５９】
［場面動画の表示例］
図１０〜図１１は、１つの場面動画の表示例を示す。ここでは特に演出要素に関する表示例を説明する。なお各画像間は例えばフェードイン・フェードアウト等で表示される。本例では、利用者が選択し作成した第１の動画である場面動画は、場面Ａ、キャラＡ２、キャラＢ２、動き５、演出要素２（アイテム２）で構成されている。場面Ａは家の前である。キャラＡ２は、キャラクターＡの第２ポーズを指す。キャラＢ２は、キャラクターＢの第２ポーズを指す。動き５は、例えばジャンプする動作である。演出要素２（アイテム２）は、「そらとぶはね」である。
【００６０】
図１０の（Ａ）は、場面画像として、場面ＡでキャラＡ２とキャラＢ２が動き５を行う画像を、模式図として示す。場面ＡでキャラＡ２とキャラＢ２は、演出要素２（アイテム２）を使用する。（Ａ）の場面画像の後、（Ｂ）の演出画像に遷移する。（Ｂ）は、演出画像の一部として、まず演出要素２（アイテム２）の画像である。（Ｂ）の画像の後、図１１の（Ａ）の画像に遷移する。
【００６１】
図１１の（Ａ）は、演出画像の続きの一部として、キャラＡ２とキャラＢ２がアイテム２である「そらとぶはね」を使って空を飛ぶ様子の画像である。なお、ここでの空の画像は、演出の一部であり、管理上の場面情報としては場面Ａに属する。（Ａ）のような演出画像の終了後、（Ｂ）の終了時画面に遷移する。（Ｂ）の終了時画面は、（Ａ）の画像を背景として重畳表示するか、あるいはグレー表示等として表示される。（Ｂ）の画面では、「ほぞんしない」ボタン、「ほぞんする」ボタン、「さいしょからみる」ボタン、「オープニングにする」ボタンを有する。情報処理装置１の記憶部１２は、「ほぞんしない」ボタンが押された場合、この場面動画を保存しない。情報処理装置１の記憶部１２は、「ほぞんする」ボタンが押された場合、この場面動画を保存する。情報処理装置１は、「さいしょからみる」ボタンが押された場合、この場面動画を最初から再生する。情報処理装置１は、「オープニングにする」ボタンが押された場合、この場面動画を、所定の状態時の所定の表示であるオープニング動画として設定する。このように「オープニングにする」ボタンを「ほぞんする」ボタンなどと共に設けておくことにより、場面動画を作成したことに応じて作成した場面動画をオープニング動画に設定するように利用者に誘導できるため好ましい。実施の形態１では、オープニング動画に設定する場合として「オープニングにする」ボタンを操作可能に画面に表示する例を記載しているが、作成した場面動画を設定可能な他の所定の表示がある場合は、設定可能な所定の表示に応じた操作可能なボタンの画像をさらに表示することも可能である。実施の形態１のようにオープニング動画として作成した場面動画を設定可能にしておくことで、利用者である子供が実施の形態１の情報処理装置１のＰＣ玩具の使用を開始する際に毎回目にすることになるため、好ましい。  
【００６２】
演出画像を発生させる条件としては、１つの要素、例えば「おまけ」演出要素のみでもよいし、複数の要素の組み合わせ、例えば第１キャラクターと「おまけ」演出要素との組み合わせでもよい。上記演出画像の例では、キャラクターとして例えば別のキャラクターＣが選択された場合でも、同じように空の背景でそのキャラクターＣがアイテム２を付けて飛ぶ内容となる。
【００６３】
変形例としては、上記のような演出を用いて、場面自体を遷移・転換させるという扱いとしてもよい。例えば、第１場面で第１アイテムが使用された場合に、演出画像を経て、第２場面に遷移させる。この場合、連続場面動画の作成の観点では、利用者が要素として第２場面を選択したという扱いとしてもよい。
【００６４】
［メニュー画面（１）］
図１２は、動画作成機能のメニュー画面の構成例等を示す。図１２の（Ａ）の画面は、左側の場面動画のリストと、右側の連続場面動画の作成のためのＧＵＩとを含んでいる。左側の場面動画のリストでは、利用者が作成済みの場面動画がある場合に、例えば場面動画毎に番号を付けて表示する。本例では番号１〜４の４個の場面動画がある。なお、利用者が動画毎に名前を付けることができるようにしてもよい。各場面動画は、前述の要素毎のカードの組み合わせで表現されている。場面動画毎に、三角のボタンで表示確認もできる。メニュー画面内には、ごみ箱アイコン等もあり、利用者は、場面動画を選択して削除することもできる。「もどる」ボタンでは、図４の（Ｂ）の標準画面に戻ることもできる。
【００６５】
メニュー画面内では、利用者に対し連続場面動画の作成を促すガイドのメッセージとして、例えば「シーンをつなげてどうがをつくろう」と表示されている。右側の連続場面動画の作成のためのＧＵＩは、大きな枠と、その枠の中の複数の小さな部分のつながりとが表示されている。利用者は、左側のリストから、順に、所望の場面動画（≒シーン）を選択し、スライドして、右側の大きな枠の中に運んで入れる。本例では、２個以上で４個までの場面動画を選択できる。大きな枠の中で順序を持つ複数の場面動画が選択された状態は、連続場面動画が作成された状態に対応する。なお、画面のＧＵＩでは、動画を構成するうちの開始画像や終了画像については表示しない。複数の場面動画が組み合わされた場合、各場面動画の開始画像や終了画像については省略され、１つの開始画像および終了画像のみを持つ１つの連続場面動画として構成される。
【００６６】
連続場面動画の作成の際のＧＵＩは、図示の例に限定されない。他の例としては、複数の場面動画をそれぞれピースのようにして表示し、画面内範囲領域において利用者の操作に応じて自由に配置できるようにし、配置に応じて複数のピースのつながりを作成するようにしてもよい。あるいは、場面動画（≒シーン）同士のつながりをライン画像で表示し、利用者がライン画像を操作できるようにし、その操作によって複数の場面動画のつながりを作成できるようにしてもよい。
【００６７】
図１２の（Ｂ）は、連続場面動画の表示確認（「ぜんぶみる」ボタン）の終了時の表示例を示す。この画面では、連続場面動画の最後の画像の上に重畳表示する形式、あるいはグレー背景の形式で、「ほぞんしない」ボタン、「ほぞんする」ボタン、「さいしょからみる」ボタン、「オープニングにする」ボタンが表示されている。情報処理装置１の記憶部１２は、「ほぞんしない」ボタンが押された場合、この連続場面動画を保存しない。情報処理装置１の記憶部１２は、「ほぞんする」ボタンが押された場合、この連続場面動画を保存する。情報処理装置１は、「さいしょからみる」ボタンが押された場合、この連続場面動画を最初から再生する。情報処理装置１は、「オープニングにする」ボタンが押された場合、この連続場面動画を、所定の状態時の所定の表示であるオープニング動画として設定する。「オープニングにする」ボタンを「ほぞんする」ボタンなどと共に設けておくことにより、連続場面動画を作成したことに応じて作成した連続場面動画をオープニング動画に設定するように利用者に誘導できるため好ましい。。実施の形態１では、オープニング動画に設定する場合として「オープニングにする」ボタンを操作可能に画面に表示する例を記載しているが、作成した連続場面動画を設定可能な他の所定の表示がある場合は、設定可能な所定の表示に応じた操作可能なボタンの画像をさらに表示することも可能である。実施の形態１のようにオープニング動画として作成した連続場面動画を設定可能にしておくことで、利用者である子供が実施の形態１の情報処理装置１のＰＣ玩具の使用を開始する際に毎回目にすることになるため、好ましい。
【００６８】
［メニュー画面（２）］
図１３は、動画作成機能のメニュー画面の他の構成例として、連続場面動画に関するメニュー画面の構成例を示す。この画面は、利用者が作成済みである連続場面動画がある場合に、連続場面動画のリストを表示する。本例では、左側から番号を付けて複数の連続場面動画が識別されており、番号１，２で示す２つの連続場面動画が作成・保存済みとなっている。本例では、各場面動画の構成については連続動画の番号で図示しているが、図１２と同様に要素の組み合わせで表示されてもよい。ＧＵＩ上で各動画の構成はサムネイル等で表示されてもよい。連続場面動画毎に、三角のボタンで表示確認ができる。
【００６９】
［特別演出画像］
図１４は、場面動画の特別演出画像の例を示す。実施の形態１の情報処理装置１は、場面動画の表示の際に、要素の組み合わせが、全組み合わせのうち特定の組み合わせである場合、特別演出画像を発生させる。制御部１１は、例えば、特定の場面、第１キャラクター、第２キャラクター、動き、および演出要素の組み合わせである場合のみに、それに対応させて予め用意された特別演出画像を発生させる。図１４の（Ａ）の例は、特定の組み合わせとして、場面Ｄ、キャラＡ２、キャラＣ２、動き２、および演出要素３（生物１）による場面画像を示す。この場合に、制御部１１は、（Ｂ）のように、その特定の組み合わせに固有の特別演出画像を表示する。本例では、特別演出画像は、生物１（例えば犬）が吠えて、キャラクターＡ２およびキャラクターＣ２が逃げ、別のキャラクターＸが登場する、といった内容となっている。これにより、特別演出画像によるアクシデントやサプライズ等の内容で利用者を楽しませることができ、また、利用者に特定の組み合わせを探して動画を作成する楽しみや意欲を惹起させることができる。
【００７０】
［ガイド、チュートリアル］
図１５は、情報処理装置１が表示画面１Ｄで利用者に対するＧＵＩとして動画作成に関するガイドやチュートリアル等を提供する場合の表示例を示す。図１５の例では、ミッション形式のチュートリアルで、利用者の理解の度合いに応じた段階的なガイドを提供する。これにより、子供は、より容易に動画作成が可能となる。情報処理装置１は、ＧＵＩ表示のみに限らず、音声出力等を用いて、このようなガイドを行ってもよい。
【００７１】
図１５の（Ａ）は、ミッションのお題を表示する画面例である。本例では、ミッションのお題を伝えるキャラクターＸが登場し、下部の欄のようにお題のメッセージ（例えば「シーンＡでキャラクターＢとあいさつをしよう」が表示される。本例は、易しいミッションの場合であり、画面には既にシーンＡとキャラクターＡ１が表示されている。その後、（Ｂ）のような場面選択画面に遷移する。（Ｂ）の画面では、図５の（Ａ）と同様の場面選択画面を背景として、さらに、ガイドのメッセージ（例えば「ここからシーンをえらんでまんなかのわくのなかにスライドしてね」）等の画像が表示される。利用者は、ガイドに従って操作を行う。例えば、お題に従って場面Ａのカードが選択された場合には、正解であり、次の選択画面およびガイドに移行される。他の場面のカードが選択された場合には、誤りであり、誤りの旨のガイドが表示される。同様に、各要素の選択画面でガイドが表示される。一通りの要素の組み合わせの選択後、お題を達成した場合には、そのミッションがクリアとなる。その後、より難しい内容のミッションが利用可能となる。最初の方の易しいミッションの場合、例えば場面とキャラクター（ポーズは問わない）がお題に合致している場合には正解とされる。より難しいミッションの場合、例えば場面、キャラクターとポーズ、動き、および演出要素がお題に合致している場合には正解とされる。動画作成に慣れていない利用者は、上記のようなチュートリアルに従いながら、動画作成のやり方を学ぶことができる。利用者は、ミッションクリアを通じてある程度慣れた後には、ガイド無しの通常形式での動画作成に移行できる。
【００７２】
同様に、図１２のような連続場面動画の作成に関しても、ミッション形式等のチュートリアルが提供されてもよい。例えば図１２の画面を背景に、ガイドのメッセージとして、「つなげたいじゅんにシーンをえらんでわくのなかにスライドしてね」、「まずシーンＡをえらんでわくのなかにいれよう」といったように表示される。ミッションとしては、お題で指定された順序で複数の場面動画が選択された場合に正解となる。
【００７３】
［動画ベース編集］
図１６は、情報処理装置１の動画作成機能の１つとして、利用者が第１の動画を作成する際に、既存の動画、例えば所定の表示であるオープニング動画をベースとして、要素を編集する形式での動画作成に関するＧＵＩ等の表示例を示す。
【００７４】
図１６の（Ａ）の画面は、既存のオープニング動画として設定されている所定の表示としての所定の動画をベースとして編集する場合の画面例であり、まず、所定の動画の台本における構成要素が表示されている。この所定の動画の例は、図９の（Ａ）の３つの場面情報を含む例と対応している。第１場面画像〜第３場面画像等で示す要素は、実際には、場面画像あるいはサムネイル等で表示されてもよい。また、画面には、ガイドのメッセージとして、「どのシーンをかえる？」といったように表示される。また、開始画像および終了画像は固定内容であるため、変更できない旨の表示がされてもよい。利用者は、操作によって、どの場面の部分を変更するかを選択する。本例では、第２場面画像の部分が選択操作されたとする。これに応じて、情報処理装置１は、（Ｂ）のような画面を表示する。
【００７５】
（Ｂ）の画面では、まず、選択された第２場面画像の部分についての要素構成が吹き出し部分に表示されている。本例では、第２場面画像の部分を構成している、場面、キャラクター、動き、および演出要素がカード等の態様で表示されている。また、ガイドのメッセージとして、「なにをかえる？」といったように表示されている。利用者は、操作によって、変更したい要素を選択する。例えば、「だれと？」の第２キャラクターが選択されたとする。情報処理装置１は、選択された要素に関する要素選択リストを下部に表示する（図６の（Ａ）と同様）。利用者は、リストから変更後の要素を選択操作できる。このような手順によって、利用者は、既存の動画の構成をベースとして要素を一部変更する形式で、動画を容易に作成することができる。上記例は所定の動画をベースとする場合であるが、これに限らず、利用者が作成済みで選択した第１の動画をベースとして、同様の形式での動画作成も可能である。
【００７６】
［ユーザ設定］
情報処理装置１では、利用者によるユーザ設定の１つとして、所望の第１の動画を表示する対象とする所定の状態を設定可能である。情報処理装置１は、画面のＧＵＩでは、表示対象とする第１の動画の選択欄とともに、候補となる所定の状態として、例えば起動時、終了時、処理中、スリープ、および利用者設定時刻等の項目を表示する。利用者である子供または親等は、それらの項目から、表示対象とする所定の状態を選択して、表示対象の動画と関連付けて設定することができる。特にオープニング動画にする場合の効果
【００７７】
［効果等］
上記のように、実施の形態１の情報処理装置１によれば、子供による動画作成に係る興趣性等を高めることができる。利用者である子供は、所定の動画に基づいて、より複雑または長い内容にした動画を容易に作成することができ、作成後の動画を楽しむことができる。また、利用者は、自らが作成した動画をオープニング動画等として設定して楽しむことができる。そのため、実施の形態１によれば、利用者である子供に、動画作成に係る意欲等を惹起しやすい。
【００７８】
以上、本発明を実施の形態に基づいて具体的に説明したが、本発明は前述の実施の形態に限定されず、要旨を逸脱しない範囲で種々変更可能である。
【符号の説明】
【００７９】
１…情報処理装置、１Ａ…本体、１Ｂ…マウス、１Ｃ…キーボード、１Ｄ…表示画面。
【要約】
【課題】子供向けの情報処理装置の技術に関して、子供による動画作成に係る興趣性等を高めることができる技術を提供する。
【解決手段】情報処理装置１は、利用者の操作を入力する入力部と、要素として場面情報を含む組み合わせによる動画を入力部による利用者の操作に基づいて作成可能な動画作成部と、動画を表示する表示部と、制御部とを備える。制御部は、情報処理装置が所定の状態である時に、動画として動画作成部で作成された第１の動画を表示部で表示可能に制御する。所定の状態は、情報処理装置またはプログラムの起動、終了、処理中、スリープ、および利用者設定時刻のうち少なくとも１つの状態である。
【選択図】図１【図１】
0006966616.tif 000002
【図２】
0006966616.tif 000003
【図３】
0006966616.tif 000004
【図４】
0006966616.tif 000005
【図５】
0006966616.tif 000006
【図６】
0006966616.tif 000007
【図７】
0006966616.tif 000008
【図８】
0006966616.tif 000009
【図９】
0006966616.tif 000010
【図１０】
0006966616.tif 000011
【図１１】
0006966616.tif 000012
【図１２】
0006966616.tif 000013
【図１３】
0006966616.tif 000014
【図１４】
0006966616.tif 000015
【図１５】
0006966616.tif 000016
【図１６】
0006966616.tif 000017